(57)【要約】【課題】導流部を有する堰堤を補修するための新規な工法を提供する。【解決手段】天端Ｔの長手方向に沿って一対のレール１０を吊り下げ、天端Ｔの下に形成された導流部Ｆ上の空間を通って一対のレール１０間を架け渡すようにレール１０に沿って移動可能な支持レール２０を吊り下げ、支持レール２０に沿って移動可能に支持された水平足場レール３０を吊り下げ、水平足場レール３０に沿って上端が移動可能に軸支され下端が該水平足場レール３０から高さ調整可能に支持された傾斜足場４０を配備し、傾斜足場４０の上端を水平足場レール３０に沿って移動させると共にその下端の高さを調整することによって傾斜足場の傾斜角度を導流部Ｆの底面に沿うように調整する。【選択図】図１
2010112130.tif 000002
【特許請求の範囲】
【請求項１】
天端の下に複数の縦壁で区画された導流部を有する堰堤を補修する工法であって、
堰堤の貯水側と放水側の両側に天端から該天端の長手方向に沿って一対のレールを吊り下げ、
前記天端の下に形成された導流部上の空間を通って前記一対のレール間を架け渡すように該レールに沿って移動可能な支持レールを吊り下げ、
前記支持レールに沿って移動可能に支持された水平足場レールを吊り下げ、
前記水平足場レールに沿って上端が移動可能に軸支され下端が該水平足場レールから高さ調整可能に支持された傾斜足場を配備し、
前記傾斜足場の上端を前記水平足場レールに沿って移動させると共にその下端の高さを調整することによって前記傾斜足場の傾斜角度を前記導流部の底面に沿うように調整し、前記傾斜足場上で前記導流部の底面に対する補修作業を可能にしたことを特徴とする堰堤の補修工法。
【請求項２】
堰堤の少なくとも放水側に前記水平足場レールに近接して前記レールに沿って移動可能に支持される縦梯子枠を吊り下げ、
前記縦梯子枠に下端が軸支された延長傾斜足場の上端を前記傾斜足場の下端から延長するように配備し、
該延長傾斜足場の傾斜角度を前記傾斜足場の傾斜角度より垂直よりに設定することを特徴とする請求項１記載の堰堤の補修工法。
【請求項３】
前記傾斜足場が軸支された前記水平足場レールと前記延長傾斜足場が軸支された前記縦梯子枠を一体にして前記レールに沿って移動させ、前記導流部上の補修位置を変更することを特徴とする請求項２記載の堰堤の補修工法。
【請求項４】
前記レールは、前記天端から吊り下げられた複数の走行支持部に移動可能に支持され、該レールの移動方向に前記走行支持部を継ぎ足し設置することで、該レールを前記天端の長手方向に沿って移動させることを特徴とする請求項１〜３のいずれかに記載された堰堤の補修工法。
【請求項５】
前記支持レールを前記レールの一方側のみにバランス支持し、前記傾斜足場を支持した前記水平足場レールと共に前記支持レールを前記天端の長手方向に沿うように旋回させ、前記傾斜足場と前記水平足場レールと前記支持レールを、前記レールに沿って移動させて、前記縦壁によって区画された隣の導流部に移動させることを特徴とする請求項１〜４の何れかに記載された堰堤の補修工法。
【発明の詳細な説明】
【技術分野】
【０００１】
堰堤（ダムなどの堰止め土木構造物）を補修するための補修工法に関する。
【背景技術】
【０００２】
ダム等の堰堤構造物には洪水吐或いは余水吐といった放流設備が設けられているが、放流設備の導流部底面や側面には苔が付着する等して流水を妨げる事態が生じたり、導流部底面にひび割れが生じたりすることから、定期的に放流設備を補修する工事が必要になる。
【０００３】
堰堤の放流設備は人が立ち入ることを前提にしておらず、その補修は天端（堤体の頂部）からの吊り下げ作業に依らざるを得ない。したがって、安全且つ迅速な作業を行うための具体的な工法が確立されていないのが現状である。
【０００４】
一方、橋梁等の構築物に対する補修工事を行うための移動式吊り足場装置が、本出願人によって提案されている（下記特許文献１参照）。これを図１１によって説明する。同図（ａ）は移動式吊り足場装置の架設状態を示す説明図であり、同図（ｂ）はＩ部分の拡大部分断面図である。
【０００５】
この移動式吊り足場装置は、橋梁Ａにおける支持梁Ａ１のリブ部Ａ１ａに固定具Ｊ１でハンガーレールＪ２を吊り下げ固定することで、一対のハンガーレールＪ２を橋梁Ａの長手方向に沿った両側に設置し、このハンガーレールＪ２に沿って橋梁Ａの幅方向に延びるトラス梁Ｂに形成される足場（図示省略）を移動可能に架設するものである。
【０００６】
そして、この移動式吊り足場装置は、ハンガーレールＪ２に支持されてハンガーレールＪ２に沿って走行可能な上走行部Ｊ３と、この上走行部Ｊ３に対して、垂直な吊り下げ部材Ｊ４を介して垂直軸回りに回転可能に連結された下走行部Ｊ５とを備え、下走行部Ｊ５がトラス梁Ｂの上辺部に形成されたラックレールＢ１に沿って走行可能に支持されることで、トラス梁Ｂを橋梁Ａの幅方向に移動可能にしている。また、トラス梁Ｂの下辺部にもラックレールＢ２が形成されており、このラックレールＢ２に図示省略の走行部を支持させることでトラス梁Ｂに対して水平又は垂直に移動可能な足場（床部）を架設することが可能になる。
【０００７】
同図（ｂ）に示すように、ハンガーレールＪ２は逆Ｔ字形の断面を有するレールであって、その下面にラック歯Ｊ２ａが形成されており、前述のラックレールＢ１，Ｂ２にもその上面又は下面に同様のラック歯Ｂ１ａ，Ｂ２ａが形成されている。そして、上走行部Ｊ３にはハンガーレールＪ２のラック歯Ｊ２ａに噛み合うピニオン輪Ｊ３ａが回動可能に内装されると共に、ラック歯Ｊ２ａの裏側縁に当接支持される支持輪Ｊ２ｂが回動可能に内装されており、下走行部Ｊ５にも同様に、ラックレールＢ１のラック歯Ｂ１ａに噛み合うピニオン輪Ｊ５ａが回動可能に内装されると共に、ラック歯Ｂ１ａの裏側縁に当接支持される支持輪Ｊ５ｂが回動可能に内装されている（Ｊ３ｂは上走行部を走行させるためのハンドル）。
【特許文献１】特許第２８０２３０７号公報
【発明の開示】
【発明が解決しようとする課題】
【０００８】
前述した移動式吊り足場装置を堰堤の天端から吊り下げることで、天端の裏面等に対する作業は可能になるが、放物線状の傾斜底面を有する放流設備の導流部を補修しようとすると、前述した従来技術のように水平な足場を形成することしかできないものでは、導流部底面を頂部から下方に向かって全面的に補修することができない問題が生じる。
【０００９】
また、堰堤の導流部は複数の縦壁で区画されており、その縦壁の頂部に天端が形成される構造になっていることが多い。したがって、仮に放流設備の導流部底面に沿った足場を形成できたとしても、この足場を天端の長手方向に移動して全体を迅速に補修しようとすると、前述した縦壁が移動の障害になって区画された導流部毎に足場を組み直さざるを得ず、迅速に作業を進めることができない問題が生じる。
【００１０】
本発明は、このような事情に対処するために提案されたものであって、導流部を有する堰堤を補修するための新規な工法を提供すること、安全且つ迅速に堰堤の導流部を補修することができること、放物線状の傾斜底面を有する導流部に対して、導流部底面を頂部から下方に向かって全面的に補修することができること、導流部が複数の縦壁で区画されている場合であっても、足場を組み直すことなく迅速に作業を進めることができること、等が本発明の目的である。
【課題を解決するための手段】
【００１１】
このような目的を達成するために本発明は、以下の特徴を具備するものである。
一つには、天端の下に複数の縦壁で区画された導流部を有する堰堤を補修する工法であって、堰堤の貯水側と放水側の両側に天端から該天端の長手方向に沿って一対のレールを吊り下げ、前記天端の下に形成された導流部上の空間を通って前記一対のレール間を架け渡すように該レールに沿って移動可能な支持レールを吊り下げ、前記支持レールに沿って移動可能に支持された水平足場レールを吊り下げ、前記水平足場レールに沿って上端が移動可能に軸支され下端が該水平足場レールから高さ調整可能に支持された傾斜足場を配備し、前記傾斜足場の上端を前記水平足場レールに沿って移動させると共にその下端の高さを調整することによって前記傾斜足場の傾斜角度を前記導流部の底面に沿うように調整し、前記傾斜足場上で前記導流部の底面に対する補修作業を可能にしたことを特徴とする。
【００１２】
また、前記の特徴と併せて、堰堤の少なくとも放水側に前記水平足場レールに近接して前記レールに沿って移動可能に支持される縦梯子枠を吊り下げ、前記縦梯子枠に下端が軸支された延長傾斜足場の上端を前記傾斜足場の下端から延長するように配備し、該延長傾斜足場の傾斜角度を前記傾斜足場の傾斜角度より垂直よりに設定することを特徴とする。
【００１３】
また、前記の特徴と併せて、前記傾斜足場が軸支された前記水平足場レールと前記延長傾斜足場が軸支された前記縦梯子枠を一体にして前記レールに沿って移動させ、前記導流部上の補修位置を変更することを特徴とする。
【００１４】
また、前記の特徴と併せて、前記レールは、前記天端から吊り下げられた複数の走行支持部に移動可能に支持され、該レールの移動方向に前記走行支持部を継ぎ足し設置することで、該レールを前記天端の長手方向に沿って移動させることを特徴とする。
【００１５】
また、前記の特徴と併せて、前記支持レールを前記レールの一方側のみにバランス支持し、前記傾斜足場を支持した前記水平足場レールと共に前記支持レールを前記天端の長手方向に沿うように旋回させ、前記傾斜足場と前記水平足場レールと前記支持レールを、前記レールに沿って移動させて、前記縦壁によって区画された隣の導流部に移動させることを特徴とする。
【発明の効果】
【００１６】
このような特徴によると、天端から支持レールを介して吊り下げられた水平足場レールを導流部上に設置し、上端が水平足場レールに軸支された傾斜足場の傾斜角度を導流部の底面に沿うように調整することで、導流部の底面に沿った補修作業が可能になる。この際、直線状の傾斜足場を単に傾斜させただけでは、放物線状の曲面を有する導流部の底面に対しては曲面に接する狭い範囲でしか底面に近付くことができないが、傾斜足場の上端を水平足場レールに沿って移動させながら傾斜足場の傾斜角度を調整することで、曲面に傾斜足場が接する箇所をずらすことができ、導流部の底面全体に近接して補修作業を行うことができる。
【００１７】
また、水平足場レールに近接して垂直に吊り下げられた縦梯子枠に下端が支持された延長傾斜足場の上端を傾斜足場の下端から延長するように配備し、延長傾斜足場の傾斜角度を傾斜足場の傾斜角度より垂直よりに設定することで、傾斜角度の異なる２つの足場を導流部の底面に沿わせることができる。これによって、導流部の縦方向全体に亘って底面に近接した足場を形成することができる。
【００１８】
また、傾斜足場が軸支された水平足場レールと延長傾斜足場が軸支された縦梯子枠を一体にしてレールに沿って移動させ、導流部上の補修位置を変更することができるので、導流部の幅方向全体を補修することが可能になる。
【００１９】
また、天端の長手方向に沿って吊り下げられるレールを、天端から吊り下げられた複数の走行支持部に移動可能に支持し、レールの移動方向に走行支持部を継ぎ足し設置して、レールを天端の長手方向に沿って移動させる移動レールにすることで、導流部の一区間のみにレールを吊り下げ、これを移動させて全体の作業を行うことができ、最小限の機材で経済的に作業を行うことが可能になる。
【００２０】
また、支持レールをレールの一方側のみにバランス支持し、傾斜足場を支持した水平足場レールと共に支持レールを天端の長手方向に沿うように旋回させ、傾斜足場と水平足場レールと支持レールを、レールに沿って移動させて、縦壁によって区画された隣の導流部に移動させることができるので、縦壁で区画された導流部に対しても、区画毎に足場を組み直す必要が無く、効率的に導流部全体を作業することが可能になる。
【発明を実施するための最良の形態】
【００２１】
以下、本発明の実施形態を図面に基づいて説明する。図１及び図２は、本発明の実施形態に係る堰堤の補修工法を説明する説明図である（図１は、堰堤の堤体断面方向からみた説明図、図２が堰堤の堤体正面方向から見た説明図）。図示のＸ軸方向が天端長手方向、Ｙ軸方向が天端幅歩行、Ｚ軸方向が鉛直方向を指している。
【００２２】
各図は堰堤の堤体頂部付近を示しており、頂部には道路などが装備される天端Ｔが形成され、天端Ｔの長手方向（Ｘ軸方向）に沿って堰堤の貯水側と放水側の両側縁に天端高欄Ｔ１が装備されている。そして、この堰堤は天端Ｔの下に複数の縦壁Ｗで区画された導流部Ｆを有している。本発明の実施形態に係る補修工法の対象は、主に導流部Ｆを含む周辺部位であり、導流部Ｆの底面Ｆ１に溜まる苔等の付着物を除去することや底面Ｆ１や側面の表面補修等を行うことを可能にする工法である。更に詳しくは、導流部Ｆの底面Ｆ１に沿って補修作業を可能にする作業足場を形成する工法である。
【００２３】
第１の工程としては、堰堤の貯水側と放水側の両側に天端Ｔから天端Ｔの長手方向（Ｘ軸方向）に沿って一対のレール１０，１０を吊り下げる。レール１０，１０は天端Ｔの固定支持部（天端高欄Ｔ１の一部やアンカー支持部等）に上端が支持された複数の吊り索１２の下端に支持されている。レール１０は、天端Ｔの長手方向全域に沿って固定状態で設置しても良いが、経済的且つ効率的な作業を行うためには、従来技術で示したような移動レールを採用することが好ましい。
【００２４】
この場合、レール１０は、その上辺と下辺にそれぞれレール部１０ａ，１０ｂが設けられ、上辺のレール部１０ａに走行支持部１１が走行可能に支持されており、その走行支持部１１が天端Ｔの固定支持部から吊り索１２を介して吊り下げられている。
【００２５】
図３は、レール１０のレール部１０ａと走行支持部１１の構成例を示した説明図である。レール部１０ａはＴ字形の断面を有して、その上面に波形のラック歯１０ａ0が形成されている。これに対して走行支持部１１には、ラック歯１０ａ0に噛み合うピニオン輪１１ａが回動可能に内装される共に、ラック歯１０ａ0の裏側縁に当接支持される一対の支持輪１１ｂ，１１ｃが回動可能に内装されている。これによると、ラック歯１０ａ0にピニオン輪１１ａが噛み合っている状態では、レール１０と走行支持部１１とは互いに鉛直方向に支持された状態になっており、吊り索１２の下端に走行支持部１１が支持されることで、走行支持部１１に支持されたレール１０も吊り索１２を介して天端から吊り下げられている。
【００２６】
第２の工程としては、天端Ｔの下に形成された導流部Ｆ上の空間を通って一対のレール１０，１０間を架け渡すようにレール１０，１０に沿って移動可能な支持レール２０を吊り下げる。
【００２７】
具体的には、支持レール２０は左右一対設けられ、レール１０の下辺に設けられたレール部１０ｂに支持された走行支持部１３と、支持レール２０の上辺に設けられたレール部２０ａに支持された走行支持部２１とを回転可能に連結することで、支持レール２０がレール１０，１０間を架け渡すように吊り下げられている。
【００２８】
図４は、レール１０と支持レール２０との支持構造を示した説明図である。支持構造自体は図３に示した構造を上下に連結したものである。すなわち、走行支持部１３には、レール部１０ｂのラック歯１０ｂ0に噛み合うピニオン輪１３ａが回動可能に内装される共に、ラック歯１０ｂ0の裏側縁に当接支持される一対の支持輪１３ｂ，１３ｃが回動可能に内装されている。同様に、走行支持部２１には、レール部２０ａのラック歯２０ａ0に噛み合うピニオン輪２１ａが回動可能に内装される共に、ラック歯２０ａ0の裏側縁に当接支持される一対の支持輪２１ｂ，２１ｃが回動可能に内装されている。そして、走行支持部１３と走行支持部２１とは連結索１４によって互いに鉛直軸周りに回転可能に連結されている。これによって、支持レール２０はレール１０に対して交差する方向に向けて支持されており、この交差状態で支持レール２０はレール１０に沿って移動できるようになっている。一対の支持レール２０の間には第１の水平作業足場２２が形成されている。
【００２９】
第３の工程としては、支持レール２０に沿って移動可能に支持された水平足場レール３０を吊り下げる。具体的には、一つの支持レール２０の下辺に設けられたレール部２０ｂに一対の走行支持部２３，２３を支持し、この一対の走行支持部２３，２３から吊り下げられた吊り索３１，３１の下端に一つの水平足場レール３０が連結される。一対の支持レール２０，２０に対しては一対の水平足場レール３０，３０が吊り下げられ、その間に第２の水平作業足場３２が形成される。より具体的には、この水平足場レール３０は高さ位置を調整可能にしており、そのために吊り索３１，３１を巻き取り又は巻き戻しできる巻き取り装置を設けている。
【００３０】
第４の工程としては、水平足場レール３０に沿って上端４０Ａが移動可能に軸支され下端４０Ｂが水平足場レール３０から高さ調整可能に支持された傾斜足場４０を配備する。傾斜足場４０の上端４０Ａは、水平足場レール３０の下辺に設けられるレール部３０ｂに支持される走行支持部４１に軸支されており、これによってレール部３０ｂに沿って移動自在になっている。また、傾斜足場４０の下端４０Ｂは、レール部３０ｂに支持される走行支持部４２から吊り下げられる吊り索４３の下端に支持されており、吊り索４３の吊り長さを巻き取り装置等で調整できるようになっている。傾斜足場４０は、階段状又は梯子状の足場を有し、傾斜状態で作業ができる足場になっている。
【００３１】
そして、図５に示すように、傾斜足場４０の上端４０Ａを水平足場レール３０に沿って移動させると共にその下端４０Ｂの高さを調整することによって傾斜足場４０の傾斜角度を導流部Ｆの底面Ｆ１に沿うように調整する。これによると、走行支持部４１をレール部３０ｂに沿って矢印方向に移動しながら吊り索４３の長さを随時延長させることで、傾斜足場４０が底面Ｆ１に近接する位置をＳ１→Ｓ２→Ｓ３のようにずらすことができる。これによって、底面Ｆ１により近接した足場で底面Ｆ１に対して上から下まで補修作業を施すことができる。
【００３２】
第５の工程としては、堰堤の少なくとも放水側に水平足場レール３０に近接してレール１０に沿って移動可能に支持される縦梯子枠５０を吊り下げ、縦梯子枠５０に下端が軸支された延長傾斜足場６０の上端を傾斜足場４０の下端４０Ｂから延長するように配備し、延長傾斜足場６０の傾斜角度を傾斜足場４０の傾斜角度より垂直よりに設定する。
【００３３】
縦梯子枠５０は上辺にレール部５０ａが設けられており、走行支持部５１がレール部５０ａに支持されている。また、レール１０のレール部１０ｂには走行支持部５２が支持されており、走行支持部５２と走行支持部５１とが連結索によって回転可能に連結されている。レール部１０ｂ，走行支持部５２，連結索，走行支持部５１，レール部５０ａの構造は、図４に示した、レール部１０ｂ，走行支持部１３，連結索１４，走行支持部２１，レール部２０ａの構造と同様である。縦梯子枠５０は、このようにレール１０から垂直に吊り下げられ、下端が堤体の側面に支持される。また、レール部５０ａから上方に向けて延長梯子部５０Ｕが形成されている。このような縦梯子枠５０を設けることで、作業者は、天端Ｔから延長梯子部５０Ｕを伝って降り、縦梯子枠５０を介して第１の水平作業足場２２，第２の水平作業足場３２或いは延長傾斜足場６０に移動できるようになっている。縦梯子枠５０は、延長傾斜足場６０の左右両側に一対配備する。更には、必要に応じて堰堤の貯水側にも配備することができる。
【００３４】
延長傾斜足場６０はその下端６０Ｂが縦梯子枠５０に軸支されており、その上端６０Ａはワイヤ６１で縦梯子枠５０に連結されて、上端６０Ａを傾斜足場４０の下端４０Ｂから延長するように配備している。傾斜足場４０の下端４０Ｂと延長傾斜足場６０の上端６０Ａは必要に応じて角度変更可能に連結しても構わない。ワイヤ６１の長さを調整することで、延長傾斜足場６０の傾斜角度を調整することができるが、導流部Ｆの底面Ｆ１は下方に行くほど曲面の接線方向が垂直に近付くので、これに沿わせるために、傾斜足場４０より下方に位置する延長傾斜足場６０の傾斜角度をより垂直よりに設定する。
【００３５】
このような延長傾斜足場６０を設けることで、第２の水平作業足場３２と傾斜足場４０と延長傾斜足場６０の３つの直線的な足場を底面Ｆ１上に配備することができる。第２の水平作業足場３２と傾斜足場４０と延長傾斜足場６０はそれぞれ異なる傾斜角度を有するので、これらによって底面Ｆ１の頂部から下部までをカバーすることによって、曲面を有する導流部Ｆの底面Ｆ１に対してより近接した位置に足場を形成することができる。
【００３６】
第６の工程としては、傾斜足場４０が軸支された水平足場レール３０と延長傾斜足場６０が軸支された縦梯子枠５０を一体にしてレール１０に沿って移動させ、導流部Ｆ上の補修位置を変更する。図２の矢印のように、一対のレール１０，１０に沿って、レール１０，１０間に吊り下げられた支持レール２０と縦梯子枠５０を一体に移動させることで、支持レール２０から吊り下げられた水平足場レール３０とこれに支持された傾斜足場４０、更には縦梯子枠５０に支持された延長傾斜足場６０を一体に移動させることができる。これによって、縦壁Ｗ間の導流部Ｆの幅方向全体を補修することが可能になる。
【００３７】
一つの区画の補修が終了すると、縦壁Ｗを越えた隣の区画の導流部Ｆに対して補修作業を行う。そのための工程（第７の工程）としては、支持レール２０をレール１０の一方側のみにバランス支持し、傾斜足場４０を支持した水平足場レール３０と共に支持レール２０を天端Ｔの長手方向に沿うように旋回させ、傾斜足場４０と水平足場レール３０と支持レール２０を、レール１０に沿って移動させて、縦壁Ｗによって区画された隣の導流部Ｆに移動させる。
【００３８】
この第７の工程を図６及び図１０によって説明する。図６は、レール１０を縦壁Ｗを越えて隣の区画の導流部Ｆに移動させる工程を示しており、図７〜図１０は、レール１０を移動させた後に、傾斜足場４０と水平足場レール３０と支持レール２０を、レール１０に沿って移動させて縦壁Ｗによって区画された隣の導流部Ｆに移動させる工程を示している。
【００３９】
先ず、図６に示すようにレール１０を移動させる。レール１０の移動は公知の移動式吊り足場装置の技術を採用することができる。レール１０を吊り下げ支持する走行支持部１１は補修作業時にはロックされてピニオン輪１１ａが回転できない状態になっているが、レール１０の移動時にはこのロックを解除する。レール１０の端部において、張り出し作業足場７１を備えた縦枠７０をレール部１０ｂに走行支持し、張り出し作業足場７１上でレール１０の移動先に追加の走行支持部１１を継ぎ足し設置し、その追加の走行支持部１１にレール部１０ａを係合させることで、レール１０を徐々に移動させる。同図（ａ）の矢印で示すように、移動元のレール部１０ａから外れた走行支持部１１は、これを取り外して移動先の追加の走行支持部１１として用いる。レール１０の移動に際しては、動力駆動輪を用いることができ、天端Ｔ側に固定された駆動輪をレール部１０ａに噛み合わせて駆動輪を回転させる。なお、図６においては、縦梯子枠５０の記載を省略している。
【００４０】
レール１０の移動時には、レール１０から吊り下げられた支持レール２０等は導流部Ｆの端で停滞した状態になっている。同図（ｂ）に示すように、支持レール２０に対してレール１０が相対的に移動して支持レール２０がレール１０の端部に達した時点でレール１０の移動を止めて次の工程に移行する。
【００４１】
次工程を図７によって説明する。先ずは同図（ａ）に示すように、延長傾斜足場６０を縦梯子枠５０側に収納すると共に、水平足場レール３０を支持レール２０側に引き上げる。次に同図（ｂ）に示すように、支持レール２０をワイヤ８０で天端Ｔから直接吊り上げる。この状態にするには、図９に示すように、一つの支持レール２０のレール部２０ａに一対の走行支持部２１Ａ，２１Ａを係合させておき、この走行支持部２１Ａ，２１Ａの挿通孔にワイヤ８０を通し、襷がけに交差させて天端Ｔから吊り下げる。この作業は支持レール２０間の第１の水平作業足場２２上に立つ作業者によって行われる。
【００４２】
この状態で、同図（ｃ）に示すように、支持レール２０を堤体の一方側（貯水側）に移動させ、支持レール２０が他方側（放水側）のレール１０による支持から外れるようにする。この状態で、支持レール２０を交わして他方側（放水側）の縦梯子枠５０を先ず次の区画に移動させる。その後、支持レール２０を他方側（放水側）に移動させ、同様にして、一方側（貯水側）の縦梯子枠５０を次の区画に移動させる（同図（ｄ）参照）。
【００４３】
全ての縦梯子枠５０を先に移動させた後、図９に示すように、支持レール２０に吊り込みセット９０を装着し、この吊り込みセット９０を介してレール１０の片側のみで支持レール２０全体を吊り上げるようにする（図９（ａ）参照）。吊り込みセット９０は、スペーサ９２を介して一対の走行支持部９１を連結し、更に駆動輪９３を装備すると共に、一対の支持レール２０に係合される４つの走行支持部９１を吊り索９４で吊り、吊り索９４の上端を４つの走行支持部９１の中心でまとめ、回転自在な連結棒９５を介してハンガー９６に連結したものである。ハンガー９６は、レール１０のレール部１０ｂに支持される走行支持部９７に設けたフックに係合される。
【００４４】
吊り込みセット９０による吊り下げが完了すると、図１０（ａ）に示すように、ワイヤ８０を外して、吊り下げセット９０のみでレール１０から支持レール２０，水平足場レール３０，傾斜足場４０を吊り下げ、図１０（ｂ）に示すように、支持レール２０をレール１０の一方側のみにバランス支持する。そして、吊り下げセット９０の中心を旋回軸にして、傾斜足場４０を支持した水平足場レール３０と共に支持レール２０を天端Ｔの長手方向に沿うように旋回させ、傾斜足場４０と水平足場レール３０と支持レール２０を、レール１０に沿って移動させて、縦壁Ｗによって区画された隣の導流部Ｆに移動させる。
【００４５】
移動後は、移動時の手順の逆手順を行い、図１に示す足場を形成して、移動先の導流部Ｆに対しての補修作業を行う。
【００４６】
以上説明した本発明の実施形態に係る堰堤の補修工法によると、導流部Ｆを有する堰堤を補修するための新規な工法を提供するものであって、安全且つ迅速に堰堤の導流部Ｆを補修することができる。また、放物線状の傾斜底面Ｆ１を有する導流部Ｆに対して、導流部底面Ｆ１を頂部から下方に向かって全面的に補修することができる。更には、導流部Ｆが複数の縦壁Ｗで区画されている場合であっても、足場を組み直すことなく迅速に作業を進めることができる。
【図面の簡単な説明】
【００４７】
【図１】本発明の実施形態に係る堰堤の補修工法を説明する説明図（堰堤の堤体断面方向からみた説明図）である。
【図２】本発明の実施形態に係る堰堤の補修工法を説明する説明図（堰堤の堤体正面方向から見た説明図）である。
【図３】本発明の実施形態に係る堰堤の補修工法を説明する説明図（レール１０のレール部１０ａと走行支持部１１の構成例を示した説明図）である。
【図４】本発明の実施形態に係る堰堤の補修工法を説明する説明図（レール１０と支持レール２０との支持構造を示した説明図）である。
【図５】本発明の実施形態に係る堰堤の補修工法を説明する説明図（傾斜足場４０の傾斜角度調整を説明する説明図）である。
【図６】本発明の実施形態に係る堰堤の補修工法を説明する説明図である。
【図７】本発明の実施形態に係る堰堤の補修工法を説明する説明図である。
【図８】本発明の実施形態に係る堰堤の補修工法を説明する説明図である。
【図９】本発明の実施形態に係る堰堤の補修工法を説明する説明図である。
【図１０】本発明の実施形態に係る堰堤の補修工法を説明する説明図である。
【図１１】従来技術の説明図である。
【符号の説明】
【００４８】
１０：レール、１０ａ，１０ｂ：レール部、
１１，２１，１３：走行支持部、１２，３１，４３：吊り索、１４：連結索、
２０：支持レール、２２：第１の水平作業足場、３０：水平足場レール、
３２：第２の水平作業足場、
４０：傾斜足場、４０Ａ：上端、４０Ｂ：下端、
５０：縦梯子枠、
６０：延長傾斜足場、
７０：縦枠、７１：張り出し作業足場、
８０：ワイヤ、
９０：吊り込みセット
Ｔ：天端、Ｔ１：天端高欄、Ｆ：導流部、Ｆ１：底面、Ｗ：縦壁、
【図１】
2010112130.tif 000003
【図２】
2010112130.tif 000004
【図３】
2010112130.tif 000005
【図４】
2010112130.tif 000006
【図５】
2010112130.tif 000007
【図６】
2010112130.tif 000008
【図７】
2010112130.tif 000009
【図８】
2010112130.tif 000010
【図９】
2010112130.tif 000011
【図１０】
2010112130.tif 000012
【図１１】
2010112130.tif 000013